(57)【要約】      （修正有）【課題】簡単に着脱調整できるブラシ装置を提供する。【解決手段】多数のブラシ毛５ａと、これらブラシ毛を支持するチャンネル材６と、チャンネル材６に固定され、支持部に対して着脱可能に吸着するマグネット９とを備え、マグネット９を支持部に着脱可能に吸着させることにより、ブラシ装置１を簡単に取り付け、あるいは位置調整できるようにする。例えば、扉にマグネット９により着脱可能に吸着され、ブラシ毛束５を扉とその周辺との間に形成される隙間のシール材として用いたり、２部材間の隙間を覆うように一対のブラシ装置１，１を設ける。【選択図】図２
0003204988.tif 000002
【実用新案登録請求の範囲】
【請求項１】
多数のブラシ毛が一定の厚さに整列されたブラシ毛束と、前記ブラシ毛束の基端部側を挟み付けるチャンネル材と、チャンネル材に装着されたマグネットとを備えたブラシ装置。
【請求項２】
扉に前記マグネットにより着脱可能に吸着され、前記ブラシ毛束を扉とその周辺との間に形成される隙間のシール材として用いる、請求項１に記載の扉隙間シール用ブラシ装置。
【請求項３】
開口部を開閉するシャッターを備えた構造物において、開口部の周囲額縁に前記チャンネル材が前記マグネットにより着脱可能に吸着され、前記ブラシ毛束がシャッター周囲と額縁との隙間をシールする、請求項１に記載のシャッター隙間シール用ブラシ装置。
【請求項４】
２部材間の隙間を覆うように、請求項１に記載の一対のブラシ装置が設けられ、各ブラシ装置は、前記チャンネル材が前記各部材に前記マグネットにより着脱可能に吸着され、各ブラシ毛束の先端が互いに接触するように対面して前記隙間を覆うように配置される、請求項１に記載の隙間目隠し用ブラシ装置。
【請求項５】
ベルトコンベアなどの搬送路を横断する支持バーに、前記チャンネル材が前記マグネットにより着脱可能に吸着され、前記搬送路に対面してブラシ毛束の先端を接触するように配置する、請求項１に記載の搬送路清掃用ブラシ装置。
【請求項６】
回転可能なメッシュ付きの回転ドラムを支持する支持部に前記チャンネル材が前記マグネットにより着脱可能に吸着され、前記ブラシ毛束の毛先が前記回転ドラムのメッシュ部分に接触するように配置される、請求項１に記載の回転ドラム清掃用ブラシ装置。
【請求項７】
ベルトコンベアなどの搬送路の側方に沿って設けられた支持部に、前記チャンネル材が前記マグネットにより着脱可能に吸着され、前記搬送路に面してブラシ毛束が配置されて前記ベルトコンベア上を移動する製品の搬送ガイドとして機能する、請求項１に記載の搬送ガイド用ブラシ装置。
【請求項８】
搬送路において落下してくる製品に受け止める製品受け部に前記チャンネル材が前記マグネットにより着脱可能に吸着され、前記ブラシ毛束が落下してくる製品と接触してクッション機能を果たす、請求項１に記載のクッション用ブラシ装置。
【請求項９】
前記ブラシ毛は、導電材が混練された樹脂から構成されている、請求項１に記載のブラシ装置。
【請求項１０】
前記ブラシ毛は、帯電防止のために馬毛から構成されている、請求項１に記載のブラシ装置。
【考案の詳細な説明】
【技術分野】
【０００１】
本考案は、ブラシ毛がチャンネル材に支持されたブラシ装置に関するものである。
【背景技術】
【０００２】
この種のブラシ装置として、特許文献１には金属製のチャンネル材にブラシ片を支持させたチャンネルブラシが開示されている。ブラシ装置の用途としては、扉やシャッターなどの隙間を塞いで隙間から埃や水分、さらには虫や小動物などが室内に侵入するのを防止するものや、工作機械等の摺動部の隙間を防いで、切削の切屑が外部に飛散するのを防止する用途がある。
【先行技術文献】
【特許文献】
【０００３】
【特許文献１】登録実用新案第３０８７１２８号公報
【考案の概要】
【考案が解決しようとする課題】
【０００４】
ところで、上記の用途で使用されるブラシ装置は、チャンネル部材を建物開口部等の支持部にねじや溶接により固定する態様であるため、使用回数が多くなると、ブラシ毛が磨り減り、本来の役目を果たさなくなる。この場合、固定したチャンネル部材を支持部から取り外し、ブラシ毛が確実に隙間を塞ぐように、ブラシ装置の位置調整を行ったり、新しいブラシ装置に交換したりして対応していた。
【０００５】
しかし、ブラシ装置が支持部に対してねじ固定や溶接固定の場合、ブラシ装置の位置調整作業や交換作業が煩雑な作業となっている。そのため、簡単に着脱できるブラシ装置の出現が望まれていた。
【０００６】
本考案は、上記に鑑み、支持部に簡単に着脱できるブラシ装置の提供を目的としている。
【課題を解決するための手段】
【０００７】
上記目的を達成するために、本考案に係るブラシ装置においては、チャンネル材、ブラシ毛、マグネットを備え、マグネットを支持部に吸着可能に取り付けることにより、ブラシ装置を簡単に着脱できるようにした。
【０００８】
すなわち、本考案に係るブラシ装置では、多数のブラシ毛が一定の厚さに整列されたブラシ毛束と、前記ブラシ毛束の基端部側を挟み付けるチャンネル材と、チャンネル材に装着されたマグネットとを備えている。
【０００９】
この種のブラシ装置は、各種用途に使用することができる。例えば、扉やシャッターの隙間シール用として、隙間目隠し用として、ベルトコンベアなどの搬送路清掃用として、回転ドラムのメッシュ部の清掃用として、ベルトコンベアの搬送ガイド用として、さらには搬送路から落下してくる製品に受け止める受け止め部におけるクッション用としてなど、様々な用途に使用することができる。
【００１０】
なお、ブラシ毛は、金属粉など導電材を混練して樹脂材から構成することで、ブラシ毛が抜け落ちて搬送する食品に混入した場合でも金属探知機により容易に検出できるようにすることもできる。また、静電気が発生しやすい、紙や樹脂素材等を扱う工場内の環境であっても、ブラシ毛として静電気の発生の少ない馬毛を使用することにより、取扱い製品への帯電を防止して塵などの付着を防止することができる。
【考案の効果】
【００１１】
本考案は、マグネットを支持部に着脱可能に吸着させることができるので、マグネットによるブラシ装置の位置調整作業を極めて容易に行なうことができる。
【図面の簡単な説明】
【００１２】
【図１】本考案に係るブラシ装置を扉の下方隙間のシール用として用いた例を示す斜視図である。
【図２】ブラシ装置の断面図であり、（ａ）はチャンネル材の側面にマグネットを取り付けた例、（ｂ）はチャンネル材の天面にマグネットを取り付けた例を示す。
【図３】開閉する一対の扉などに取り付けられた一対のブラシ装置をオーバーラップさせた例を示す斜視図である。
【図４】ブラシ装置をシャッターの隙間シール用として用いた例を示す斜視図である。
【図５】ブラシ装置をベルトコンベアの搬送路清掃用として使用した例を示す斜視図である。
【図６】ブラシ装置を隙間目隠し用として使用した例を示す斜視図である。
【図７】ブラシ装置を搬送ガイドとして用いた例を示す斜視図である。
【図８】ブラシ装置を図７とは別の搬送ガイドとして用いた例を示す断面図である。
【図９】ブラシ装置を製品が落下する搬送路のクッション用として用いた例を示す正面図である。
【図１０】ブラシ装置を回転ドラムの清掃用として用いた例を示す斜視図である。
【考案を実施するための形態】
【００１３】
以下、本考案の実施形態を図面に基づいて説明する。図１は本考案に係るブラシ装置１をスライド式の扉２ａ，２ｂの下方にある床３との隙間４のシール用として用いた例を示す。
【００１４】
ブラシ装置１は、多数のブラシ毛５ａが一定の厚さに整列されたブラシ毛束５と、前記ブラシ毛束５の基端部側を挟み付けるチャンネル材６と、前記チャンネル材６に固定されたマグネット９とを備えている。
【００１５】
ブラシ毛５ａは、各種素材から構成される。例えば、ナイロン、ポリプロピレン、塩化ビニル、ポリエステルなどの化学繊維、馬毛、豚毛などの動物繊維、パームなどの植物繊維、あるいは金属線を使用してもよい。さらには、これらの素材を複合した複合素材を使用してもよい。例えば、帯電防止のために、樹脂素材に金属粉などの導電材を混練したり、あるいは基材となるブラシ毛に導電材入りの樹脂をコーティングしたものであってもよい。さらには、帯電防止のために馬毛から構成したものを採用してもよい。
【００１６】
図２はブラシ装置の断面図を示す。図２に示すように、多数のブラシ毛５ａが一定の厚さに整列されてブラシ毛束５を構成している。ブラシ毛束５は、ブラシ毛５ａの長さ方向の中間位置で芯棒８に巻かれ、その巻かれた部分であるブラシ毛束５の基端部側が外側より断面コ字形のチャンネル材６に嵌合されて締め付け固定されている。チャンネル材６は、金属製または樹脂製のいずれであってもよく、ブラシ毛束５の基端部をかしめなどにより締め付け固定できるものであればよい。このチャンネル材６は直線状であるが、扉などの支持部の形状に合わせて湾曲させてもよい。
【００１７】
チャンネル材６にはマグネット９が固定されている。マグネット９は、薄板あるいは薄片状に形成され、接着剤による固定や溶接による固定などによりチャンネル材６に固定される。マグネット９は、チャンネル材６に長さ方向に合わせて長尺のものを使用してもよいし、あるいは短尺状のものを間隔をおいて配置した構成であってもよい。マグネット９は、扉の下端部などの支持部１０に着脱可能に吸着される。支持部１０はマグネット９により吸着可能な磁性材から構成されている。マグネット９のチャンネル材６への固定位置は特に限定されるものではなく、支持部１０の配置と、目的とするブラシ毛先の使用態様により定められる。図２（ａ）はチャンネル材６の側面にマグネット９を固定した例を示し、同図（ｂ）はチャンネル材６の天面にマグネット９を固定した例を示す。
【００１８】
図１の例では、扉２ａ，２ｂの下面にブラシ装置１のマグネット９を着脱可能に取り付け、扉２ａ，２ｂの下辺と床３との間にできる隙間４を覆うようにしている。
【００１９】
なお、図１は引き戸式（スライド式）の扉２ａ，２ｂを例示したが、観音開きの扉であってもブラシ装置を設置することができる。図３はヒンジにより開閉回動する一対の扉に各々ブラシ装置を設置する例を示す。一対のブラシ装置１，１は、その内端側でオーバーラップさせる。この場合、片側のチャンネル材６およびブラシ毛束５を他方の扉２ａ側に延長し、かつその内端側６ａを扉２ｂから離すように湾曲させる。
【００２０】
このように、扉の下辺と床面３との間の隙間４を覆うようにブラシ装置１，１を取り付けるが、ヒンジを介して開閉する一対の扉の場合、図３に示すように、ブラシ装置１，１の先端部同士を互いにオーバーラップさせた状態で取り付けるほうが埃や塵の侵入を確実に防止することができる。
【００２１】
図４はブラシ装置１をシャッター１１の隙間シール用として用いた例を示す。図１１に示すように、建物などの構造物の開口部を開閉するシャッター１１において、開口部の周囲にある、磁性材からなる支持部としての額縁１２にブラシ装置１を取り付けている。マグネット９は、開口部の額縁１２に吸着され、着脱可能とされる。ブラシ毛束５は、シャッター１１と額縁１２との間の隙間に応じてチャンネル材６の位置を容易に調整することができる。これにより、シャッター１１の前面の周囲と額縁１２との間にできる隙間を覆うことができる。
【００２２】
図５はブラシ装置１をベルトコンベア１３の搬送路清掃用として使用した例を示す。この例では、ベルトコンベア１３などの搬送路を横断する磁性材からなる支持部としての支持バー１５に、チャンネル材６がマグネット９により着脱可能に吸着されている。前記搬送路１３に対面してブラシ毛束５のブラシ毛先端が接触するように、マグネット９によるチャンネル材６の吸着位置を調整する。
【００２３】
上記構成においては、ベルトコンベア（搬送路）１３自体やベルトコンベア１３上の製品（図示略）に付着する粉体などの塵や埃を除去することができる。また、製品を均一にならすために使用することもできる。
【００２４】
図６はブラシ装置１を隙間目隠し用として使用した例を示す。例えば、床３と机１７との２部材間の隙間１８を覆うように一対のブラシ装置１，１が設けられている。第1のブラシ装置１は、側面視逆Ｔ字形のチャンネル材６が床３にマグネット９により着脱可能に吸着される。第２のブラシ装置１は、側面視Ｌ字形のチャンネル材６が机１７の側面にマグネット９により着脱可能に吸着される。第１のブラシ装置１と第２のブラシ装置１とは、各ブラシ毛束５の先端が互いに接触するように対面して前記隙間１８を覆うように配置される。
【００２５】
上記構成においては、机１７と床３との隙間１８はブラシ毛束５によって覆われているので、隙間１８に配線したコード類が外部から見えないようにすることができ、コード類のうちコンセントに電気的に接続するプラグ１９部分のみが外部に露出する。
【００２６】
図７はブラシ装置１を搬送ガイドとして用いた例を示す。この例では、ベルトコンベアなどの搬送路１３の側方に沿って設けられたコーナーの支持部１０に、チャンネル材６がマグネット９により着脱可能に吸着されている。搬送路に面してブラシ毛束５が配置されてベルトコンベア１３上を移動する製品の搬送ガイドとして機能する。
【００２７】
上記構成においては、ブラシ装置１は、ベルトコンベア１３などの搬送路において、搬送する製品に接触させて、製品の搬送方向を変更する際に使用することができる。
【００２８】
図８は図７とは別のブラシ装置１の使い方を示す。この例では、ベルトコンベア１３の左右両側の支持部１０に、ブラシ毛５ａの先端をそれぞれ内向きにした左右一対のブラシ装置１のチャンネル材６がマグネット９により着脱可能に吸着されている。この例では、ブラシ装置１を、ベルトコンベア１３により搬送される製品の側面に接触して、製品の搬送ガイドとして使用することができる。
【００２９】
図９はブラシ装置１，１を製品２１が落下する搬送路２２のクッション用として用いた例を示す。この例では、搬送路２２において、落下してくる製品２１を受け止める製品受け部２３が設けられ、製品受け部２３の上方でその左右両側に間隔をおいて支持部１０が設けられる。この支持部１０に一対のブラシ装置１，１がクッション機能を果たすように設けられている。
【００３０】
各ブラシ装置１，１は、製品２１の侵入を許す間隔をおいて配置された左右一対の支持部１０の内面側には縦方向に長いチャンネル材６がマグネット９により着脱可能に吸着される。そして、左右のブラシ毛束５が、落下してくる製品２１と接触して落下してくる製品２１のクッションとなり、製品２１の落下速度を低減するように作用する。なお、図９の符号２４は製品受け部２３と床面３との間に介在されているスプリングを示す。
【００３１】
図１０はブラシ装置１を回転ドラムの清掃用として用いた例を示す。この例では、回転可能なメッシュ２５付きの回転ドラム２６を支持する支持部１０にチャンネル材６がマグネット９により着脱可能に吸着され、ブラシ毛束５の毛先が回転ドラム２６のメッシュ部分２５に接触するように配置される。
【００３２】
上記構成においては、回転ドラム２６が回転すると、回転ドラム２６のメッシュ部分２５に接触するブラシ装置１のブラシ毛束５がメッシュ部分を清掃する。回転ドラム２６の回転により、回転ドラム２６と接触するブラシ毛５ａが磨耗する。ブラシ毛５ａが磨耗した場合、マグネット９により支持部１０に吸着しているチャンネル材６を支持部１０に対して簡単に移動調整することができる。
【００３３】
なお、本考案は上記実施形態に限りものではなく、本考案の範囲内で多くの修正・変更を加えることができるのは勿論である。
【符号の説明】
【００３４】
１    ブラシ装置
２ａ，２ｂ    扉
３    床
４    隙間
５    ブラシ毛束
５ａ    ブラシ毛
６    チャンネル材
８    芯棒
９    マグネット
１０    支持部
１１    シャッター
１２    開口部の額縁
１３    ベルトコンベア
１５    支持バー
１７    机
１８    隙間
１９    コンセントプラグ
２１    製品
２２    搬送路
２３    製品受け部
２４    スプリング
２５    メッシュ
２６    回転ドラム
【図１】
0003204988.tif 000003
【図２】
0003204988.tif 000004
【図３】
0003204988.tif 000005
【図４】
0003204988.tif 000006
【図５】
0003204988.tif 000007
【図６】
0003204988.tif 000008
【図７】
0003204988.tif 000009
【図８】
0003204988.tif 000010
【図９】
0003204988.tif 000011
【図１０】
0003204988.tif 000012